(57)【要約】【課題】メンテナンスを容易にすることができる照明装置を提供する。【解決手段】光源ユニット５０は、ＬＥＤベース４４、ＬＥＤベース４４にビス等で固定され、光源としてのＬＥＤチップが基板に複数実装されたＬＥＤモジュール４３、ＬＥＤチップの実装位置に合わせてＬＥＤチップを挿通する挿通孔を設けてあり、ＬＥＤチップから発せられる光を反射する反射シート４２、ＬＥＤチップからの光を透過する透光板としての光透過パネル４１、光透過パネル４１をＬＥＤベース４４に装着させるパネルフレーム１０などを備えている。本体フレーム７０の収容部７９は、光源ユニット５０及び電源部６０を収容可能な寸法の空間であり、対向する側板及び上板で囲まれ、下側に開口部７９１を設けてある。光源ユニット５０は、開口部７９１を通じて着脱可能に構成されている。【選択図】図２
2010198859.tif 000002
【特許請求の範囲】
【請求項１】
交換対象部品が内蔵された箱体の交換ユニットを備える照明装置であって、
前記交換ユニットを収容する収容部と、該収容部の一端側に設けられた開口部とを有する照明装置本体を備え、
前記交換ユニットは、
前記開口部を通じて前記照明装置本体に対して着脱可能にしてあることを特徴とする照明装置。
【請求項２】
前記交換ユニットは、
１対の突起部を備え、
前記照明装置本体は、
前記収容部の一端に前記突起部を緩挿する緩挿部を備え、
前記交換ユニットは、
前記突起部を前記緩挿部に緩挿させた状態で前記突起部を結ぶ仮想軸回りに回動させて前記開口部を通じて前記収容部に収容するようにしてあることを特徴とする請求項１に記載の照明装置。
【請求項３】
前記交換ユニットは、
前記収容部に収容された状態で自身を前記照明装置本体に取り付けるための取付用部材を備えることを特徴とする請求項２に記載の照明装置。
【請求項４】
前記取付用部材は、
ねじ孔を有し、該ねじ孔にねじを挿通させて前記照明装置本体に取り付けるようにしてあることを特徴とする請求項３に記載の照明装置。
【請求項５】
前記交換ユニットは、
光源を有し、
前記収容部に収容された状態で露出する側に前記光源の光を透過する透光板を備えることを特徴とする請求項１から請求項４までのいずれか１項に記載の照明装置。
【請求項６】
前記収容部は、
側板及び上板で囲まれ、
前記上板は、
一辺側に沿って形成された通気孔を有し、
前記収容部に前記交換ユニットを収容した状態で、前記交換ユニットの側面と前記収容部の側板との間に第１の隙間と、前記交換ユニットの上面と前記収容部の上板との間に該上面に沿った第２の隙間とを有し、
前記第１の隙間、第２の隙間及び通気孔を通じて空気の流路を形成してあることを特徴とする請求項１から請求項５までのいずれか１項に記載の照明装置。
【発明の詳細な説明】
【技術分野】
【０００１】
本発明は、照明装置に関し、特に照明装置全体を交換することなく一部の交換ユニットだけを交換することができる照明装置に関する。
【背景技術】
【０００２】
近年、複雑化、多様化する高層ビルやインテリジェントビルなどでは、省施工性、快適性、経済性、安全性あるいはレイアウトの自由度といった観点から、システム天井が採用されている。このシステム天井は、天井に金属製のＴバー（骨組み）を格子状に施設し、施設したＴバーの上に天井仕上げ材を載せて施工するものである。
【０００３】
このようなシステム天井に設置されるシステム天井用照明装置としては、様々なものが開発、製品化されている。例えば、ＬＥＤパネルや有機ＥＬパネル等の光源パネルを用い、天井バー間の升目を塞ぐ天井ボードと光源パネルを同等の大きさとすることにより、均整度が高く、天井ボードと光源パネルを相互に移設するだけの容易な作業で照明レイアウト変更を可能とするシステム天井用照明装置が開示されている（例えば、特許文献１参照。）。
【０００４】
また、このようなシステム天井では、照明設備とそれ以外のスプリンクラー、空調、スピーカー、非常用照明器具などの各種設備とを一体化してコンパクトにレイアウトする要望が強く、照明器具の一部に設けた設備プレートに各種設備を設置することができる照明装置も開発されている。
【先行技術文献】
【特許文献】
【０００５】
【特許文献１】特開２００８−２８２７８２号公報
【発明の概要】
【発明が解決しようとする課題】
【０００６】
しかしながら、従来のシステム天井用照明装置のように、照明装置に他の設備を一緒に組み込んだ構造の場合、照明装置を交換する必要性が生じたときには、他の設備までも取り外す必要があり、工事に要する労力が増大するとともに、他の設備が使用できないといった問題があった。また、システム天井用の照明装置に限らず、他の設備を一体化した照明装置でも同様の問題がある。
【０００７】
本発明は斯かる事情に鑑みてなされたものであり、照明装置全体を交換する必要がなくメンテナンスを容易にすることができる照明装置を提供することを目的とする。
【課題を解決するための手段】
【０００８】
本発明に係る照明装置は、交換対象部品が内蔵された箱体の交換ユニットを備える照明装置であって、前記交換ユニットを収容する収容部と、該収容部の一端側に設けられた開口部とを有する照明装置本体を備え、前記交換ユニットは、前記開口部を通じて前記照明装置本体に対して着脱可能にしてあることを特徴とする。
【０００９】
本発明に係る照明装置は、前記交換ユニットは、１対の突起部を備え、前記照明装置本体は、前記収容部の一端に前記突起部を緩挿する緩挿部を備え、前記交換ユニットは、前記突起部を前記緩挿部に緩挿させた状態で前記突起部を結ぶ仮想軸回りに回動させて前記開口部を通じて前記収容部に収容するようにしてあることを特徴とする。
【００１０】
本発明に係る照明装置は、前記交換ユニットは、前記収容部に収容された状態で自身を前記照明装置本体に取り付けるための取付用部材を備えることを特徴とする。
【００１１】
本発明に係る照明装置は、前記取付用部材は、ねじ孔を有し、該ねじ孔にねじを挿通させて前記照明装置本体に取り付けるようにしてあることを特徴とする。
【００１２】
本発明に係る照明装置は、前記交換ユニットは、光源を有し、前記収容部に収容された状態で露出する側に前記光源の光を透過する透光板を備えることを特徴とする。
【００１３】
本発明に係る照明装置は、前記収容部は、側板及び上板で囲まれ、前記上板は、一辺側に沿って形成された通気孔を有し、前記収容部に前記交換ユニットを収容した状態で、前記交換ユニットの側面と前記収容部の側板との間に第１の隙間と、前記交換ユニットの上面と前記収容部の上板との間に該上面に沿った第２の隙間とを有し、前記第１の隙間、第２の隙間及び通気孔を通じて空気の流路を形成してあることを特徴とする。
【００１４】
本発明にあっては、照明装置は、箱体の交換ユニットと、交換ユニットを収容する収容部及び収容部の一端側に設けられた開口部を有する照明装置本体とを備える。交換ユニットには、使用時間や経年に応じて交換を必要とする交換対象部品を内蔵してあり、例えば、光源、あるいは光源に所定の電力を供給する電源部などの少なくとも１つを内蔵している。そして、交換ユニットは、開口部を通じて照明装置本体に対して着脱可能にしてある。これにより、交換ユニットは、開口部を通じて照明装置本体に取り付けることも、照明装置本体から取り外すこともでき、交換ユニット及び交換ユニットを取り外すことにより交換が可能となる部材等を交換することができるので、照明装置全体を交換する必要がなく、交換作業も簡単にできメンテナンスを容易にすることができる。
【００１５】
本発明にあっては、交換ユニットは、１対の突起部を備え、照明装置本体は、収容部の一端に突起部を緩挿する緩挿部を備える。すなわち、交換ユニットを照明装置本体に取り付ける場合、突起部を緩挿部に緩挿させることにより、交換ユニットを照明装置本体から吊り下げた状態にすることができる。例えば、この状態で交換ユニットと照明装置本体との間の配線作業を行うことができる。そして、交換ユニットは、突起部を緩挿部に緩挿させた状態で突起部を結ぶ仮想軸回りに回動させて開口部を通じて収容部に収容する。なお、交換ユニットを照明装置本体から取り外す場合には、突起部を結ぶ仮想軸回りに交換ユニットを回動させて開口部を通じて収容部から離隔させて交換ユニットを照明装置本体から吊り下げた状態にしておき、交換ユニットと照明装置本体との配線を外す。これにより、交換ユニットと照明装置本体との配線の接続や取り外しの際に交換ユニットを手で保持する必要がなく作業性が向上する。
【００１６】
本発明にあっては、交換ユニットは、収容部に収容された状態で自身を照明装置本体に取り付けるための取付用部材を備える。取付用部材は、例えば、ねじやフックなどであり、取付用部材により、交換ユニットを照明装置本体に取り付けることができる。これにより、交換ユニットを照明装置本体に確実に固定することができ、交換ユニットの落下を確実に防止することができる。
【００１７】
本発明にあっては、取付用部材は、ねじ孔を有し、ねじ孔にねじを挿通させて照明装置本体に取り付ける。これにより、交換ユニットを照明装置本体に確実に固定することができ、交換ユニットの落下を確実に防止することができる。
【００１８】
本発明にあっては、交換ユニットは、光源を有し、収容部に収容された状態で露出する側に光源の光を透過する透光板を備える。光源は、例えば、ＬＥＤや有機ＥＬなどを用いることができる。これにより、経年変化や何らかの原因で故障した場合でも、簡単に光源を交換することができる。
【００１９】
本発明にあっては、収容部は、側板及び上板で囲まれ、上板は、一辺側に沿って形成された通気孔を有し、収容部に交換ユニットを収容した状態で、交換ユニットの側面と収容部の側板との間に第１の隙間と、交換ユニットの上面と収容部の上板との間に該上面に沿った第２の隙間とを有し、第１の隙間、第２の隙間及び通気孔を通じて空気の流路を形成してある。これにより、室内の空気が交換ユニットと照明装置本体との間の第１の隙間から流入し、交換ユニットの上面に沿って第２の隙間を流れ、通気孔から照明装置本体の上方外側に流出するので、交換ユニットに内蔵された光源などの部品により生ずる発熱を効率良く放熱することができ、熱による寿命劣化を抑制して交換ユニットの交換までの時間を長くすることができ、メンテナンスの頻度を抑えることができる。
【発明の効果】
【００２０】
本発明によれば、照明装置全体を交換する必要がなくメンテナンスを容易にすることができる。
【図面の簡単な説明】
【００２１】
【図１】本発明の実施の形態１を示す照明装置の外観斜視図である。
【図２】本発明の実施の形態１を示す照明装置の分解斜視図である。
【図３】本発明の実施の形態１を示す照明装置の上側から見た平面図である。
【図４】本発明の実施の形態１を示す照明装置の下側から見た底面図である。
【図５】図４のＶ−Ｖ線断面図である。
【図６】実施の形態１の光源ユニットの外観斜視図である。
【図７】実施の形態１の光源ユニットの外観斜視図である。
【図８】実施の形態１の本体フレームの要部斜視図である。
【図９】光源ユニットを本体フレームに取り付ける際の様子を示す説明図である。
【図１０】光源ユニットが仮留めされた状態を示す説明図である。
【図１１】実施の形態２の光源ユニットの外観斜視図である。
【図１２】実施の形態２の光源ユニットの突起部の拡大図である。
【図１３】実施の形態２の本体フレームの要部斜視図である。
【図１４】実施の形態３の光源ユニットの突起部の拡大図である。
【図１５】実施の形態３の本体フレームの要部斜視図である。
【図１６】本発明に係る照明装置の設置例を示す説明図である。
【図１７】他の設備を取り付けた照明装置の外観斜視図である。
【図１８】他の設備を取り付けた照明装置の外観斜視図である。
【発明を実施するための形態】
【００２２】
実施の形態１
以下、本発明をその実施の形態を示す図面に基づいて説明する。図１は本発明の実施の形態１を示す照明装置１００の外観斜視図であり、図２は本発明の実施の形態１を示す照明装置１００の分解斜視図であり、図３は本発明の実施の形態１を示す照明装置１００の上側から見た平面図であり、図４は本発明の実施の形態１を示す照明装置１００の下側から見た底面図である。図２に示すように、照明装置１００は、照明装置本体としての本体フレーム７０、本体フレーム７０に内蔵される電源部６０、本体フレーム７０とは別体であって、本体フレーム７０に対して着脱可能にしてある箱体の交換ユニットとしての光源ユニット５０などを備えている。本体フレーム７０は、Ｔバー取付金具８０によりシステム天井の格子状に施設されたＴバーの所要の箇所に固定することができる。なお、以下、照明装置１００は、システム天井に設置されるものとして説明するが、本発明に係る照明装置１００は、システム天井用に限定されるものではない。
【００２３】
光源ユニット５０は、アルミニウム製などの放熱性に優れた金属製で放熱板としての機能を有するＬＥＤベース４４、ＬＥＤベース４４にビス等で固定され、光源としてのＬＥＤチップが基板に複数実装されたＬＥＤモジュール４３、ＬＥＤチップの実装位置に合わせてＬＥＤチップを挿通する挿通孔を設けてあり、ＬＥＤチップから発せられる光を反射する反射シート４２、ＬＥＤチップからの光を透過する透光板としての光透過パネル４１、光透過パネル４１をＬＥＤベース４４に装着させるパネルフレーム１０などを備えている。
【００２４】
電源部６０は、交流電圧を所定の直流電圧に変換する変換回路などを構成する電気部品が実装された電源基板６１、電源基板６１を保護する電源基板カバー６２、ＬＥＤチップの発光量を制御して調光する調光回路などを構成する電気部品が実装された調光基板６３、調光基板６３を保護する調光基板カバー６４、商用電源からの電源線を電源部６０に接続するための速結端子台６５などを備えている。
【００２５】
本体フレーム７０は、それぞれの面が略矩形状の箱体であって、中央部には、スプリンクラー、空調、スピーカー、非常用照明器具などの他の設備を設置するための開口８５が設けられ、開口８５の両側方に光源ユニット５０を収容するための収容部７９を設けている。また、収容部７９には、電源部６０を収容するためのスペース７８を設けてある。一方の収容部７９には、電源部６０と光源ユニット５０が収容されている。他方の収容部７９も、電源部６０と光源ユニット５０とを収容することができるだけの空間があるが、本実施の形態では、光源ユニット５０のみが収容されている。すなわち、１つの電源部６０により、２つの光源ユニット５０へ所要の電力を供給している。なお、光源ユニット５０の消費電力が大きい場合などには、２つの電源部６０をそれぞれの収容部７９に収容して所要の電力を供給するようにしてもよい。
【００２６】
電源部６０と光源ユニット５０との間には、不図示の配線が施されており、例えば、配線用コネクタを介して配線の接続、取り外しを行うことができる。
【００２７】
図１、図２及び図３に示すように、一方の収容部７９は、光源ユニット５０及び電源部６０を収容可能な寸法の空間であり、対向する略矩形状の側板７１、７５、対向する略矩形状の側板７３、７４、及び略矩形状の上板７６で囲まれ、下側に略矩形状の開口部７９１を設けてある。また、他方の収容部７９は、光源ユニット５０及び電源部６０を収容可能な寸法の空間であり、対向する側板７２、７５、対向する側板７３、７４、及び上板７６で囲まれ、下側に開口部７９１を設けてある。光源ユニット５０は、開口部７９１を通じて着脱可能に構成されている。なお、着脱可能の構成については後述する。
【００２８】
また、上板７６の側板７５付近には、辺縁（一辺側）に沿って、通気孔７７、７７、７７を設けてある。通気孔７７は、収容部７９と本体フレーム７０の外側（上側）との間で空気を連通させるためのものであり、収容部７９から通気孔７７を通じて空気が本体フレーム７０の外部（上側）に流れるようになっている。
【００２９】
図４に示すように、光源ユニット５０は、光透過パネル４１を下側に向けて収容部７９に収容されている。光源ユニット５０は、平面視が、例えば、長方形状であって、一方の長辺側の辺縁付近には、１対の突起部１１を設けてある。そして、収容部７９の突起部１１に対応する位置には、突起部１１を緩挿する緩挿部８１を設けてある。光源ユニット５０は、突起部１１を緩挿部８１に緩挿させた状態で突起部１１同士を結ぶ仮想軸（不図示）回りに揺動させて収容部７９に収容することができ、また、収容部７９から取り出すことができる。
【００３０】
光源ユニット５０の他方の長辺側の辺縁付近には、取付金具１２（取付用部材）を備え、光源ユニット５０を収容部７９に収容した状態で、取付金具１２をねじで本体フレーム７０に固定することにより、光源ユニット５０を本体フレーム７０に固定することができる。これにより、光源ユニット５０を本体フレーム７０に確実に固定することができ、光源ユニット５０の落下を確実に防止することができる。
【００３１】
収容部７９の平面視の形状は、長方形状をなし、長辺側の寸法は光源ユニット５０の長辺側の寸法とほぼ同一にしてある。一方、収容部７９の短辺側の寸法は、光源ユニット５０の短辺側の寸法よりも大きくしてあり、これにより、光源ユニット５０と本体フレーム７０との間に長辺側に沿って隙間１０１（第１の隙間）を設けている。
【００３２】
図５は図４のＶ−Ｖ線断面図である。図５に示すように、収容部７９に光源ユニット５０を収容した状態で、光源ユニット５０と本体フレーム７０との間に隙間１０１と、光源ユニット５０の上面と収容部７９の上板７６との間に光源ユニット５０の上面に沿った隙間１０２（第２の隙間）とを有し、隙間１０１、隙間１０２及び通気孔７７を通じて空気の流路Ｒを形成してある。これにより、室内の空気が光源ユニット５０と本体フレーム７０との間の隙間１０１から流入し、光源ユニット５０の上面に沿って隙間１０２を流れ、通気孔７７から本体フレーム７０の上方外側に流出するので、光源ユニット５０に内蔵された光源などの部品により生ずる発熱を効率良く放熱することができ、熱による寿命劣化を抑制して光源ユニット５０の交換までの時間を長くすることができ、メンテナンスの頻度を抑えることができる。
【００３３】
次に、光源ユニット５０の着脱可能な構造について説明する。図６及び図７は実施の形態１の光源ユニット５０の外観斜視図であり、図８は実施の形態１の本体フレーム７０の要部斜視図である。なお、図８では、説明を容易にするため、側板７３を除去した例を示す。図６及び図７に示すように、光源ユニット５０は、箱体の一方の側面１３の対向する辺縁付近に設けられた１対の突起部１１を備えている。突起部１１は、側面１３の高さ寸法より小さい寸法の板状であり、突起部１１の光透過パネル４１側（下側）には、外側に向かって折り曲げられた曲部１１１を設けている。
【００３４】
また、光源ユニット５０は、側面１３と対向する側面１４の辺縁付近にＬ字状であってねじ穴を有する取付金具１２を設けている。なお、図６及び図７において、取付金具１２を２つ設ける例を示しているが、取付金具１２を側面１４の中央部に１つ設ける構成でもよく、また、取付金具１２の位置は適宜の位置にすることができる。
【００３５】
図８に示すように、本体フレーム７０は、収容部７９を囲む側板７３の一方側に対応する位置に、突起部１１を緩挿する緩挿部８１を備える。緩挿部８１は、収容部７９の短辺側に沿って配置した板状体、あるいは棒状体の部材である。なお、緩挿部８１は、光源ユニット５０が収容部７９に収容された状態において、突起部１１に対応する位置付近のみに設けてもよい。
【００３６】
緩挿部８１と対向させて、緩挿部８１と平行に板状の押板８２を設けている。押板８２は、光源ユニット５０が収容部７９に収容された状態で、光源ユニット５０のＬＥＤベース４４に当接し、光源ユニット５０が上方に位置ずれすることを防止する。
【００３７】
次に、光源ユニット５０の取り付け方法について説明する。図９は光源ユニット５０を本体フレーム７０に取り付ける際の様子を示す説明図であり、図１０は光源ユニット５０が仮留めされた状態を示す説明図である。図９は本体フレーム７０を下側から見た状態を示す。図９に示すように、光源ユニット５０の長辺側を水平にするとともに、短辺側を垂直にし、平面視が矩形状の収容部７９に対して略対角線上に沿うようにして光源ユニット５０を保持する。
【００３８】
そして、一方の突起部１１を緩挿部８１に緩挿した（引掛けた）後、光源ユニット５０を緩挿した突起部１１を支点として図中の矢印方向に回転させて、光源ユニット５０の長辺方向と収容部７９の長辺方向をほぼ平行にして他方の突起部１１を緩挿部８１に緩挿する。この状態で、図１０に示すように、光源ユニット５０は、本体フレーム７０に仮留めされた状態となる。
【００３９】
図１０に示す状態では、光源ユニット５０は本体フレーム７０に仮留めされているので、光源ユニット５０を手で保持しなくても、本体フレーム７０から吊り下がった状態で光源ユニット５０を保持した状態にすることができる。そして、この状態において、光源ユニット５０と電源部６０との間の配線作業を行うことができる。
【００４０】
配線作業が終了した場合、光源ユニット５０の突起部１１を緩挿部８１に緩挿させた状態で突起部１１同士を結ぶ仮想軸（図９中のＡ）回りに、図１０に示す矢印方向に揺動させて開口部７９１を通じて光源ユニット５０を収容部７９に収容する。光源ユニット５０を収容部７９に収容した状態で、取付金具１２のねじ穴にねじを通し、本体フレーム７０にねじ止めすることにより、光源ユニット５０を本体フレーム７０に固定することができる。なお、図１０では、一方の光源ユニット５０を本体フレーム７０に仮留めした状態を示し、他方の光源ユニット５０を収容部７９に収容した状態を示す。
【００４１】
なお、光源ユニット５０を本体フレーム７０から取り外す場合には、突起部１１を結ぶ仮想軸回りに光源ユニット５０を揺動させて開口部７９１を通じて収容部７９から離隔させて光源ユニット５０を本体フレーム７０から吊り下げた状態にしておき、光源ユニット５０と電源部６０との配線を外す。
【００４２】
これにより、光源ユニット５０は、開口部７９１を通じて収容部７９に収容して本体フレーム７０に取り付けることも、本体フレーム７０から取り外すこともでき、光源ユニット５０だけを交換することができるので、照明装置全体を交換する必要がなく、交換作業も簡単にできメンテナンスを容易にすることができる。また、光源ユニット５０と本体フレーム７０との配線の接続や取り外しの際に光源ユニット５０を手で保持する必要がなく作業性が向上する。また、光源ユニット５０は、光源としてＬＥＤの他に有機ＥＬなどを用いることができ、経年変化や何らかの原因で故障した場合でも、簡単に光源ユニット５０だけを交換することができる。また、実施の形態では、光源ユニット５０を取り外すことにより、電源部６０の交換も可能になるので、電源部６０が経年変化や何らかの原因で故障した場合でも、簡単に電源部６０を交換することができる。
【００４３】
上述の実施の形態では、図９に示すように、光源ユニット５０の長辺側を水平にするとともに、短辺側を垂直にし、平面視が矩形状の収容部７９に対して略対角線上に沿うようにして光源ユニット５０を保持する構成であったが、これに限定されるものではなく、光源ユニット５０の短辺側を水平にするとともに、長辺側を垂直にし、平面視が矩形状の収容部７９に対して短辺方向に沿うようにして光源ユニット５０を保持する構成でもよい。
【００４４】
実施の形態２
光源ユニット５０を本体フレーム７０と着脱可能にする構造は、上述の例に限定されるものではなく、他の構造であってもよい。図１１は実施の形態２の光源ユニット５０の外観斜視図であり、図１２は実施の形態２の光源ユニット５０の突起部１５の拡大図であり、図１３は実施の形態２の本体フレーム７０の要部斜視図である。なお、図１２は図１１のＢで示す部分を拡大したものである。また、図１３では、説明を容易にするため、側板７３を除去した例を示す。
【００４５】
図１１及び図１２に示すように、光源ユニット５０は、箱体の一方の側面１３の両側付近に設けられた１対の突起部１５を備えている。突起部１５は、Ｌ字状に折り曲げられた板状体であり、側面１３に取り付けられた状態で側面１３に垂直な方向に折り曲げられた係止板１５２の光透過パネル４１側（下側）には、外側に向かって折り曲げられた曲部１５１を設けている。
【００４６】
図１３に示すように、本体フレーム７０は、収容部７９を囲む側板７３の一方側に対応する位置、すなわち、光源ユニット５０が収容部７９に収容された状態において、突起部１５に対応する位置に、突起部１５の係止板１５２及び曲部１５１を緩挿する緩挿部としての挿通孔８３を備える。挿通孔８３は、縦方向（垂直方向）に設けられ係止板１５２を挿通することができる隙間を有する縦孔８３１と、この縦孔８３１の中途部に横方向（水平方向）に設けられ曲部１５１を挿通することができる隙間を有する横孔８３２とで構成されている。
【００４７】
図１３に示すように、光源ユニット５０を本体フレーム７０に仮留めする場合には、係止板１５２と曲部１５１を挿通孔８３に挿通して、光源ユニット５０から手を離すことにより、光源ユニット５０の自重で光源ユニット５０が下方向に移動することで、曲部１５１が挿通孔８３の横孔８３２の位置から下方向にずれ、係止板１５２が挿通孔８３から抜けることを防止する。なお、図１３では、一方の光源ユニット５０を本体フレーム７０に仮留めした状態を示し、他方の光源ユニット５０を収容部７９に収容した状態を示す。
【００４８】
実施の形態３
図１４は実施の形態３の光源ユニット５０の突起部１６の拡大図であり、図１５は実施の形態３の本体フレーム７０の要部斜視図である。実施の形態２との相違点は、曲部１６１を内側に曲げてある点である。なお、図１５では、説明を容易にするため、側板７３を除去した例を示す。
【００４９】
図１４に示すように、光源ユニット５０は、箱体の一方の側面１３の両側付近に設けられた１対の突起部１６を備えている。突起部１６は、Ｌ字状に折り曲げられた板状体であり、側面１３に取り付けられた状態で側面１３に垂直な方向に折り曲げられた係止板１６２の光透過パネル４１側（下側）には、内側に向かって折り曲げられた曲部１６１を設けている。
【００５０】
図１５に示すように、本体フレーム７０は、収容部７９を囲む側板７３の一方側に対応する位置、すなわち、光源ユニット５０が収容部７９に収容された状態において、突起部１６に対応する位置に、突起部１６の係止板１６２及び曲部１６１を緩挿する緩挿部としての挿通孔８４を備える。挿通孔８４は、縦方向（垂直方向）に設けられ係止板１６２を挿通することができる隙間を有する縦孔８４１と、この縦孔の中途部に内側に向かって横方向（水平方向）に設けられ曲部１６１を挿通することができる隙間を有する横孔（不図示）とで構成されている。
【００５１】
図１５に示すように、光源ユニット５０を本体フレーム７０に仮留めする場合には、係止板１６２と曲部１６１を挿通孔８４に挿通して、光源ユニット５０から手を離すことにより、光源ユニット５０の自重で光源ユニット５０が下方向に移動することで、曲部１６１が挿通孔８４の横孔の位置から下方向にずれ、係止板１６２が挿通孔８４から抜けることを防止する。
【００５２】
図１６は本発明に係る照明装置１００の設置例を示す説明図である。図１６に示すように、照明装置１００は、天井に金属製のＴバー（骨組み）を格子状に施設し、施設したＴバーの所要の位置に取り付けることができる。また、施設したＴバー上には天井仕上げ材を載せている。そして、照明装置１００の中央部の開口には、他の設備用の設備プレートを取り付けように構成してあり、照明設備と他の設備が一体となって天井に配置される。
【００５３】
そして、本発明によれば、天井に取り付けられた照明装置１００全体を取り外すことなく、すなわち、照明設備以外の他の設備については一切触れることなく光源ユニット５０及び電源部６０を交換することができるので、従来であれば、他の設備を含めて照明装置１００全体を交換する作業を要したのに対し、本発明であれば他の設備等の取り外しが全く不要であり、保守作業の作業性が格段に向上する。
【００５４】
図１７及び図１８は他の設備を取り付けた照明装置１００の外観斜視図である。図１７及び図１８の例は、他の設備として空調設備２００を取り付けている。図１８において、２０１は空気の吹出口である。本発明によれば、照明装置１００全体を交換する必要がないので、交換作業時に空調設備２００まで取り外す必要がなく、保守作業の作業性が格段に向上する。
【００５５】
以上説明したように、本実施の形態１〜３によれば、光源ユニット５０は、開口部７９１を通じて収容部７９に収容して本体フレーム７０に取り付けることも、本体フレーム７０から取り外すこともでき、光源ユニット５０及び電源部６０を交換することができるので、照明装置全体を交換する必要がなく、交換作業も簡単にできメンテナンスを容易にすることができる。また、光源ユニット５０と本体フレーム７０との配線の接続や取り外しの際に光源ユニット５０を手で保持する必要がなく作業性が向上する。また、光源ユニット５０は、光源としてＬＥＤの他に有機ＥＬなどを用いることができ、経年変化や何らかの原因で故障した場合でも、簡単に光源ユニット５０だけを交換することができる。
【００５６】
また、仮に、他の設備と一体化した照明装置で直接本体フレームに多数のＬＥＤチップが実装されたＬＥＤ基板が設置されている場合に、ＬＥＤ基板の交換を行うときは、ＬＥＤ基板を固定する多数のねじを外す必要があり、また、作業中に何らかの理由で発生する静電気の影響でＬＥＤチップを損傷させることもあり、作業性が悪く、かつ困難であるという問題があった。これに対して、本実施の形態によれば、そのような問題も生じない。
【００５７】
上述の実施の形態では、光源ユニット５０は光源を内蔵する構成であったが、交換ユニットとしては、光源ユニット５０に限定されるものではなく、光源の他に交換対象部品となり得るもの、例えば、電源部やその他の機能部品を内蔵する構成であってもよい。また、光源と電源部などを一緒に内蔵する構成でもよい。
【００５８】
上述の実施の形態では、本体フレーム７０は、２つの電源部６０を内蔵することができる構成であったが、１つの電源部６０のみを内蔵できる構成でもよい。この場合、一方のスペース７８を無くすことができる。
【００５９】
上述の実施の形態では、照明装置１００は、スプリンクラー、空調、スピーカー、非常用照明器具などの他の設備を設置するための開口８５を挟んで両側に収容部７９を設ける構成であったが、これに限定されるものではなく、１つの収容部７９に隣接して開口８５を設ける構成であってもよい。
【符号の説明】
【００６０】
１０  パネルフレーム
１１、１５、１６  突起部（突起部）
１２  取付金具（取付用部材）
１３  側面（一側面）
１４  側面（他側面）
４１  光透過パネル（透光板）
４２  反射シート
４３  ＬＥＤモジュール
４４  ＬＥＤベース
５０  光源ユニット（交換ユニット）
６０  電源部
７０  本体フレーム（照明装置本体）
７１、７２、７３、７４  側板（側板）
７６  上板（上板）
７７  通気孔（通気孔）
７９  収容部（収容部）
７９１  開口部（開口部）
８１  緩挿部（緩挿部）
８３、８４  挿通孔（緩挿部）
８３１、８４１  縦孔
８３２  横孔
１０１  隙間（第１の隙間）
１０２  隙間（第２の隙間）
Ａ  仮想軸
Ｒ  空気の流路
【図１】
2010198859.tif 000003
【図２】
2010198859.tif 000004
【図３】
2010198859.tif 000005
【図４】
2010198859.tif 000006
【図５】
2010198859.tif 000007
【図６】
2010198859.tif 000008
【図７】
2010198859.tif 000009
【図８】
2010198859.tif 000010
【図９】
2010198859.tif 000011
【図１０】
2010198859.tif 000012
【図１１】
2010198859.tif 000013
【図１２】
2010198859.tif 000014
【図１３】
2010198859.tif 000015
【図１４】
2010198859.tif 000016
【図１５】
2010198859.tif 000017
【図１６】
2010198859.tif 000018
【図１７】
2010198859.tif 000019
【図１８】
2010198859.tif 000020